(57)【特許請求の範囲】
【請求項１】
多数の演奏曲のうちから選択される所定の演奏曲を出力させると共に、該演奏曲の出力と同期して所定の歌詞文字映像及び背景映像を表示させる映像表示装置を有するカラオケ装置と、所定の映像を表示させると共に利用者の接触操作に応じて該カラオケ装置への入力が可能なタッチパネルディスプレイを備えた電子早見本装置とを、備えたカラオケシステムであって、
該電子早見本装置は、
所定の映像を表示させる映像表示部と、
前記カラオケ装置の映像表示装置により表示される背景映像の前面側レイヤに付加的に表示され得る素材映像を、前記映像表示部に選択可能に表示させる表示手段と、
該表示手段により表示される素材映像のうち選択される素材映像の指定情報を前記カラオケ装置に送信すると共に、前記映像表示部に選択可能に表示された操作ボタンに対する接触操作に応じてカラオケ演奏に際して前記映像表示装置に表示される素材映像を所定の態様で変化させるための操作情報を送信し得る送信手段と
を、有するものであり、
前記カラオケ装置は、
前記素材映像を出力させるための複数の素材映像情報を記憶すると共に、各素材映像情報の属性情報として対応する素材映像を変化させるための指定情報である複数の操作情報を記憶する素材映像データベースと、
該素材映像データベースに記憶された素材映像情報に基づいて前記素材映像を出力する映像情報デコーダと、
前記歌詞文字映像を出力する文字映像出力装置と、
該文字映像出力装置から出力される歌詞文字映像と、前記映像情報デコーダから出力される素材映像とを合成して前記映像表示装置に表示させる映像合成装置と、
前記電子早見本装置の前記映像表示部に表示された素材映像のうち所定の素材映像が選択され、該素材映像の指定情報が前記送信手段により送信されて前記カラオケ装置において受信された場合、該指定情報により指定される素材映像に対応する素材映像情報を前記素材映像データベースから読み出し、該素材映像情報に基づく素材映像を前記映像情報デコーダにより出力させ、該素材映像を前記文字映像出力装置により出力される歌詞文字映像の背面側レイヤに前記映像合成装置を介して合成させて前記映像表示装置に表示させると共に、前記電子早見本装置から受信された操作情報及びカラオケ演奏に係る演奏曲に応じて前記映像表示装置に表示される素材映像を変化させる映像制御手段と
を、有するものであることを特徴とするカラオケシステム。
【発明の詳細な説明】
【技術分野】
【０００１】
本発明は、多数の演奏曲のうちから選択される所定の演奏曲を出力させるカラオケ装置を用いたカラオケシステムに関し、特に、カラオケ装置による背景映像表示機能の改良に関する。
【背景技術】
【０００２】
多数の演奏曲のうちから選択される所定の演奏曲を出力させる音楽再生装置が知られている。例えば、カラオケボックス等で使用されるカラオケ装置がそれである。斯かるカラオケ装置によれば、予め記憶装置に記憶された多数のカラオケ演奏曲から選択された所定のカラオケ演奏曲の音楽情報を出力させると共に、そのカラオケ演奏曲の歌詞情報を含む映像をその出力に同期して画面に表示させることで、所望の歌のカラオケ演奏を楽しむことができる。
【０００３】
近年、所定の背景映像に歌詞文字映像（歌詞テロップ）を付加する態様のカラオケ装置が普及している。例えば、カラオケサービス提供会社のホストサーバと通信回線によって接続される通信カラオケ装置がその一例である。斯かる態様のカラオケ装置では、背景映像を複数種類の演奏曲に汎用できるため、各演奏曲にあつらえの映像を用意する必要がなく、比較的多数の曲を演奏できるという利点がある反面、複数の演奏曲で背景映像を使い回すことにより利用者を飽きさせる可能性があった。そこで、斯かる弊害を解消するための技術が提案されている。例えば、特許文献１に記載されたカラオケ再生装置がそれである。この技術によれば、複数の映像の映像番号と、それら映像の内容を表す説明とを並記する小冊子（映像番組表）を予め用意しておき、上記演奏曲の選曲入力に際してその演奏曲の出力時に背景映像としての再生が所望される映像の映像番号を指定させることで、利用者の意向に合った背景映像をカラオケ演奏に際して表示できるとされている。
【０００４】
【特許文献１】特許第３３４９５８９号明細書等
【０００５】
しかし、前記従来の技術では、小冊子に記載された簡単な説明を参考に背景映像を選択するものであったことから、利用者がその説明を読んで思い描く映像と実際の映像とが一致しないおそれがあり、期待に沿った背景映像が必ずしも表示されないという不具合があった。このため、カラオケ演奏に際して利用者の意向に合った背景映像を表示させる技術の開発が望まれていた。
【発明の開示】
【発明が解決しようとする課題】
【０００６】
本発明は、以上の事情を背景として為されたものであり、その目的とするところは、カラオケ演奏に際して利用者の意向に合った背景映像を表示させるカラオケシステムを提供することにある。
【課題を解決するための手段】
【０００７】
斯かる目的を達成するために、本発明の要旨とするところは、多数の演奏曲のうちから選択される所定の演奏曲を出力させると共に、その演奏曲の出力と同期して所定の歌詞文字映像及び背景映像を表示させる映像表示装置を有するカラオケ装置と、所定の映像を表示させると共に利用者の接触操作に応じてそのカラオケ装置への入力が可能なタッチパネルディスプレイを備えた電子早見本装置とを、備えたカラオケシステムであって、その電子早見本装置は、所定の映像を表示させる映像表示部と、前記カラオケ装置の映像表示装置により表示される背景映像の前面側レイヤに付加的に表示され得る素材映像を、前記映像表示部に選択可能に表示させる表示手段と、その表示手段により表示される素材映像のうち選択される素材映像の指定情報を前記カラオケ装置に送信すると共に、前記映像表示部に選択可能に表示された操作ボタンに対する接触操作に応じてカラオケ演奏に際して前記映像表示装置に表示される素材映像を所定の態様で変化させるための操作情報を送信し得る送信手段とを、有するものであり、前記カラオケ装置は、前記素材映像を出力させるための複数の素材映像情報を記憶すると共に、各素材映像情報の属性情報として対応する素材映像を変化させるための指定情報である複数の操作情報を記憶する素材映像データベースと、その素材映像データベースに記憶された素材映像情報に基づいて前記素材映像を出力する映像情報デコーダと、前記歌詞文字映像を出力する文字映像出力装置と、その文字映像出力装置から出力される歌詞文字映像と、前記映像情報デコーダから出力される素材映像とを合成して前記映像表示装置に表示させる映像合成装置と、前記電子早見本装置の前記映像表示部に表示された素材映像のうち所定の素材映像が選択され、その素材映像の指定情報が前記送信手段により送信されて前記カラオケ装置において受信された場合、その指定情報により指定される素材映像に対応する素材映像情報を前記素材映像データベースから読み出し、その素材映像情報に基づく素材映像を前記映像情報デコーダにより出力させ、その素材映像を前記文字映像出力装置により出力される歌詞文字映像の背面側レイヤに前記映像合成装置を介して合成させて前記映像表示装置に表示させると共に、前記電子早見本装置から受信された操作情報及びカラオケ演奏に係る演奏曲に応じて前記映像表示装置に表示される素材映像を変化させる映像制御手段とを、有することを特徴とするものである。
【発明の効果】
【０００８】
このようにすれば、電子早見本装置は、所定の映像を表示させる映像表示部と、前記カラオケ装置の映像表示装置により表示される背景映像の前面側レイヤに付加的に表示され得る素材映像を、前記映像表示部に選択可能に表示させる表示手段と、その表示手段により表示される素材映像のうち選択される素材映像の指定情報を前記カラオケ装置に送信すると共に、前記映像表示部に選択可能に表示された操作ボタンに対する接触操作に応じてカラオケ演奏に際して前記映像表示装置に表示される素材映像を所定の態様で変化させるための操作情報を送信し得る送信手段とを、有するものであり、前記カラオケ装置は、前記素材映像を出力させるための複数の素材映像情報を記憶すると共に、各素材映像情報の属性情報として対応する素材映像を変化させるための指定情報である複数の操作情報を記憶する素材映像データベースと、その素材映像データベースに記憶された素材映像情報に基づいて前記素材映像を出力する映像情報デコーダと、前記歌詞文字映像を出力する文字映像出力装置と、その文字映像出力装置から出力される歌詞文字映像と、前記映像情報デコーダから出力される素材映像とを合成して前記映像表示装置に表示させる映像合成装置と、前記電子早見本装置の前記映像表示部に表示された素材映像のうち所定の素材映像が選択され、その素材映像の指定情報が前記送信手段により送信されて前記カラオケ装置において受信された場合、その指定情報により指定される素材映像に対応する素材映像情報を前記素材映像データベースから読み出し、その素材映像情報に基づく素材映像を前記映像情報デコーダにより出力させ、その素材映像を前記文字映像出力装置により出力される歌詞文字映像の背面側レイヤに前記映像合成装置を介して合成させて前記映像表示装置に表示させると共に、前記電子早見本装置から受信された操作情報及びカラオケ演奏に係る演奏曲に応じて前記映像表示装置に表示される素材映像を変化させる映像制御手段とを、有することから、利用者の所望する素材映像を付加表示することで、バリエーションに富んだ背景映像をカラオケ演奏に際して表示させることができる。また、利用者の操作及びカラオケ演奏に係る演奏曲の旋律やテンポ等に応じて素材映像を様々に変化させることができ、斯かる背景映像に利用者の意向を更にきめ細かに反映させられるという利点がある。すなわち、カラオケ演奏に際して利用者の意向に合った背景映像を表示させるカラオケシステムを提供することができる。
【００２０】
以下、本発明の好適な実施例を図面に基づいて詳細に説明する。
【実施例１】
【００２１】
図１は、本発明の一実施例であるカラオケシステム１０を説明する概略図である。この図１に示すように、上記カラオケシステム１０では、カラオケボックス、スナック、旅館等の店舗１２における複数の個室１４ａ、１４ｂ、１４ｃ、・・・（以下、特に区別しない場合には単に個室１４と称する）にそれぞれ１台乃至は複数台ずつ（図１では１台ずつ）のカラオケ装置１６ａ、１６ｂ、１６ｃ、・・・（以下、特に区別しない場合には単にカラオケ装置１６と称する）が設置されている。これら複数のカラオケ装置１６のうち、マスターコマンダである所定のカラオケ装置１６ａは、公衆電話回線等による通信回線１８を介してカラオケサービス提供会社のセンタ装置２０に接続されており、そのセンタ装置２０と上記カラオケ装置１６ａの相互間で情報の通信が可能とされている。このセンタ装置２０は、カラオケ情報、背景映像情報、曲間情報等のデジタルコンテンツ（Digital Contents）の保管や入出力管理の基本的な制御を行うサーバであり、上記通信回線１８を介してマスターコマンダであるカラオケ装置１６ａに定期的にコンテンツの配信を行うと共に、そのカラオケ装置１６ａからの要求に応じて所定のコンテンツや機能制御プログラム等を送信するものである。また、上記カラオケシステム１０は、複数の電子早見本装置２２ａ、２２ｂ、２２ｃ、・・・（以下、特に区別しない場合には単に電子早見本装置２２と称する）を備えており、上記カラオケ装置１６の利用に際して、各利用者（グループ）毎に１台ずつの電子早見本装置２２が貸与され、各個室１４において後述するように上記カラオケ装置１６の遠隔操作装置として用いられるようになっている。また、上記店舗１２内には上記複数のカラオケ装置１６を相互に接続するＬＡＮ２４が敷設されており、上記電子早見本装置２２からのカラオケ装置１６への入力は、所定のアクセスポイント２６及びＬＡＮ２４を介したＬＡＮ通信等により行われる。
【００２２】
図２は、上記カラオケ装置１６の構成を例示するブロック線図である。この図２に示すように、上記カラオケ装置１６は、ＣＲＴ（Cathode-ray Tube）等の映像表示装置３０と、映像情報デコーダ３２と、ビデオミキサ３４と、アンプミキサ３６と、スピーカ３８と、マイクロフォン４０と、操作パネル４２と、中央演算処理装置であるＣＰＵ４４と、読出専用メモリであるＲＯＭ４６と、随時書込読出メモリであるＲＡＭ４８と、記憶装置であるハードディスク５０と、モデム５２と、ＬＡＮポート５４と、ＣＲＴコントローラ５６と、上記操作パネル４２等の入出力信号を処理する入出力インターフェイス５８と、音源であるシンセサイザ６０と、上記電子早見本装置２２、携帯電話機２８、及びリモコン装置６４等の入力端末装置からのリモコン信号を受信するためのリモコン受信部６２とを、備えて構成されている。
【００２３】
上記ＣＰＵ４４は、上記ＲＡＭ４８の一時記憶機能を利用しつつ上記ＲＯＭ４６に予め記憶された所定のプログラムに基づいて電子情報を処理・制御する所謂コンピュータであり、上記電子早見本装置２２や携帯電話機２８等により所定のカラオケ演奏曲が選曲された場合、その選曲されたカラオケ演奏曲を上記ＲＡＭ４８に設けられた予約曲テーブル９８（図５を参照）に登録したり、その予約曲テーブル９８の演奏順に従って上記ハードディスク５０から上記ＲＡＭ４８に選曲されたカラオケ演奏曲の演奏情報及び歌詞情報等を読み出したり、カラオケ演奏曲の演奏が進行するのに応じてそのＲＡＭ４８から上記シンセサイザ６０へ演奏情報を送信したり、歌詞情報に基づいて歌詞文字映像を生成して上記ＣＲＴコントローラ５６へ送ったり、選曲時には曲名文字映像を生成して上記ＣＲＴコントローラ５６へ送ったり、上記映像情報デコーダ３２を制御して所定の背景映像を再生させたり、カラオケ演奏が行われていない間すなわち曲間において、新譜情報、選曲ランキング、店舗広告等の曲間情報を出力させたり、前記通信回線１８を介した前記センタ装置２０との間の情報通信やＬＡＮ２４を介した前記電子早見本装置２２との間の情報通信制御等の基本的な制御を実行すると共に、後述する背景映像表示制御や素材映像表示制御等を行う。
【００２４】
前記操作パネル４２は、前記カラオケ装置１６の利用者が歌いたいカラオケ演奏曲を選択したり、演奏曲の音程を調整したり、演奏と歌との音量バランスを調整したり、その他、エコー、音量、トーン等の各種調整を行うための操作ボタン（スイッチ）或いはつまみを備えた入力装置である。また、前記カラオケ装置１６には、前記操作パネル４２の一部機能を遠隔で実行するための入力端末装置として機能するリモコン装置６４が備えられており、前記リモコン受信部６２は、そのリモコン装置６４から送信されるリモコン信号を受信して前記ＣＰＵ４４へ供給する。また、前記カラオケ装置１６と電子早見本装置２２との対応付け（くくりつけ）処理も前記リモコン受信部６２を介して行われ、そのようにして前記カラオケ装置１６に対応付けられた電子早見本装置２２も同様に入力端末装置として機能する。また、後述する図１７等に示すようにリモコン送信機能を有する携帯電話機２８も上記電子早見本装置２２やリモコン装置６４等と同様に入力端末装置として用いられる。
【００２５】
前記映像情報デコーダ３２は、利用者が歌詞を参照しながら歌を歌う際に前記ハードディスク５０に記憶された背景映像情報に基づいて所定の背景映像を再生（デコード）する背景映像再生装置である。この背景映像情報は、例えばＭＰＥＧ（Moving Picture Experts Group）形式のデータであり、そのＭＰＥＧデータに基づいて前記映像情報デコーダ３２により再生された背景映像は、前記ビデオミキサへ送られる。また、前記映像情報デコーダ３２は、例えばＪＰＥＧ（Joint Photographic Experts Group）データやＰＮＧ（Portable Network Graphics）データ等の静止映像（静止画）をも出力し得るものであり、後述する素材映像としてそれらの静止映像が用いられる場合もある。また、前記ＣＲＴコントローラ５６は、前記ＣＰＵ４４において生成された歌詞文字映像等の文字映像（テロップ）を出力する文字映像出力装置であり、前記ビデオミキサ３４は、前記ＣＰＵ４４において生成され且つ前記ＣＲＴコントローラ５６から出力される文字映像等と、前記映像情報デコーダ３２により再生される背景映像とを合成して前記映像表示装置３０に表示させる映像合成装置である。また、後述するように、前記ＣＲＴコントローラ５６は、前記映像表示装置３０により表示される背景映像の前面側のレイヤに所定の素材映像を付加的に表示すると共に、前記電子早見本装置２２や携帯電話機２２等の入力端末装置から受信された操作情報に応じてその素材映像を変化させる素材映像制御装置としても機能する。
【００２６】
前記シンセサイザ６０は、前記ハードディスク５０から読み出されて送られて来るカラオケ演奏曲の演奏情報に基づいて楽器の演奏信号等の音楽信号を生成する音源である。この演奏情報は、例えば、ＭＩＤＩ（Musical Instrument Digital Interface）形式のデータであり、そのＭＩＤＩデータに基づいて前記シンセサイザ６０により生成された音楽信号は、アナログ信号に変換されて前記アンプミキサ３６へ送られる。そのアンプミキサ３６では、送られてきた音楽信号と前記マイクロフォン４０を介して入力される利用者の歌声とがミキシングされ、それらの信号が電気的に増幅されて前記スピーカ３８から出力される。
【００２７】
前記モデム５２は、前記カラオケ装置１６を公衆電話回線等による通信回線１８に接続するための装置であり、前記ＣＰＵ４４から出力されるディジタル信号をアナログ信号に変換して前記通信回線１８に送り出すと共に、その通信回線１８を介して伝送されるアナログ信号をディジタル信号に変換して前記ＣＰＵ４４に供給する処理を行う。なお、このモデム５２は、マスターコマンダとして機能するカラオケ装置１６ａには必要とされるが、前記センタ装置２０との間で情報の通信を行わない他のカラオケ装置１６には必ずしも設けられなくともよい。
【００２８】
前記ＬＡＮポート５４は、前記カラオケ装置１６をＬＡＮ２４を介して他のカラオケ装置１６や電子早見本装置２２等の他の機器に接続するための接続器であり、前記カラオケ装置１６は、そのようにＬＡＮ２４を介して接続されることで、他のカラオケ装置１６や電子早見本装置２２等の他の機器との間で情報の送受信が可能とされる。例えば、前記アクセスポイント２６により受け付けられる前記電子早見本装置２２からの選曲入力を受け付けたり、前記カラオケ装置１６から電子早見本装置２２へ所定の情報を送信したりというように、電波を介して前記カラオケ装置１６と電子早見本装置２２との間における相互の情報のやりとりが実行される。
【００２９】
前記ハードディスク５０には、カラオケ演奏曲を出力させるための多数のカラオケ情報を記憶するカラオケデータベース、背景映像を出力させるための複数の背景映像情報を記憶する背景映像データベース１００、及び後述する素材映像を出力させるための複数の素材映像情報を記憶する素材映像データベース１０２等の各種データベースが設けられている。カラオケボックス等の店舗にそれぞれ備えられた複数のカラオケ装置１６のうちマスターコマンダとして機能するカラオケ装置１６ａは、前記モデム５２を介して前記通信回線１８に接続されており、前記複数のカラオケ装置１６によって常に新しい曲が演奏可能とされるように、或いは所定の背景映像や素材映像が出力可能とされるように、随時新たなカラオケ情報、背景映像情報、及び素材映像情報等が前記センタ装置２０から前記通信回線１８を介して配信され、前記ハードディスク５０のカラオケデータベース、背景映像データベース１００、及び素材映像データベース１０２等に記憶される。また、そのようにして前記センタ装置２０から情報を取得したカラオケ装置１６ａとその他のカラオケ装置１６との間で前記ＬＡＮ２４を介した通信が行われることにより、各カラオケ装置１６のハードディスク５０に記憶される情報が共有され、カラオケデータベース、背景映像データベース１００、及び素材映像データベース１０２等の内容が等価なものとされる。
【００３０】
上記カラオケデータベースに記憶されるカラオケ情報は、曲名、歌手名、及びジャンル情報等を含むヘッダ情報、演奏情報としてのＭＩＤＩデータ、及び演奏曲の歌詞情報等を含む情報であり、各演奏曲毎にインデックスとしての選曲番号が定められている。また、好適には、その演奏曲における演奏の区分（Ａメロ、Ｂメロ、サビ等）を定義する区分情報を含んでいる。また、上記背景映像データベース１００に記憶される背景映像情報は、動画であるＭＰＥＧデータ及び静止画であるＪＰＥＧデータやＰＮＧデータ等、前記映像情報デコーダ３２により出力可能な映像情報である。また、上記素材映像データベース１０２に記憶される素材映像情報は、前記映像情報デコーダ３２により出力可能な静止画乃至は動画であると共に、前記ＣＲＴコントローラ５６によりその形態や動き等を種々に変化させられる所定の映像情報である。また、この素材映像情報には、好適には、その素材映像を変化させるための指定情報である複数の操作情報が属性情報として含まれる。
【００３１】
図３は、前記電子早見本装置２２の外観を大まかに示す斜視図である。この図３に示すように、前記電子早見本装置２２は、所定の画像（映像）を表示させると共に、利用者の接触に応じて入力を行うためのタッチパネルディスプレイ７０を備えている。また、前記カラオケ装置１６との間でデータの送受信や同期を実行したり、前記電子早見本装置２２に内蔵されたバッテリを充電する等の動作を行うスタンド型の接続架台（ドッキングテーブル）であるクレイドル６８を備えている。前記電子早見本装置２２は、そのクレイドル６８に取り付けられた状態又はそのクレイドル６８から取り外された状態で用いられ、取り付けられた状態においては、そのクレイドル６８及びＬＡＮ２４を介して前記カラオケ装置１６に有線接続されるようになっている。また、上記クレイドル６８から取り外された状態においては、上記アクセスポイント２６及びＬＡＮ２４を介して前記カラオケ装置１６に無線接続されるようになっている。
【００３２】
図４は、前記電子早見本装置２２の構成を説明するブロック線図である。この図４に示すように、前記電子早見本装置２２は、上記タッチパネルディスプレイ７０に所定の映像を表示させる映像表示部である表示装置７２と、その表示装置７２による表示を制御する表示制御部７４と、利用者の指や図示しない備え付けのペン等によるタッチパネルディスプレイ７０への接触により入力を行うタッチパネル７６と、そのタッチパネル７６による入力を制御する入力制御部７８と、中央演算処理装置であるＣＰＵ８０と、読出専用メモリであるＲＯＭ８２と、随時書込読出メモリであるＲＡＭ８４と、フラッシュＲＯＭ等の記憶部８６と、インターフェイス８８と、リモコン送信部９０と、無線ＬＡＮ通信部９２と、コネクタ９４とを、備えて構成されている。上記クレイドル６８には、前記電子早見本装置２２と電気的な接続を可能とするためのコネクタ９６が設けられており、前記電子早見本装置２２は、前記クレイドル６８に載置されて上記コネクタ９４及び９６が接触させられることで、上記インターフェイス８８を介して前記クレイドル６８乃至はＬＡＮ２４に接続されるようになっている。
【００３３】
上記記憶部８６には、前記カラオケ装置１６のハードディスク５０に設けられた背景映像データベース１００及び素材映像データベース１０２に対応して背景映像データベース１０４及び素材映像データベース１０６が設けられている。これら背景映像データベース１０４及び素材映像データベース１０６に記憶される背景映像情報及び素材映像情報は、前記カラオケ装置１６の映像表示装置３０により表示され得る背景映像及び素材映像を映像表示部すなわち前記表示装置７２に選択可能にサムネイル表示させるための情報である。上記背景映像データベース１０４及び素材映像データベース１０６は、好適には、前記カラオケ装置１６のハードディスク５０に設けられた背景映像データベース１００及び素材映像データベース１０２と等価な記憶内容を有するものであるが、サムネイル表示に適するように前記カラオケ装置１６による出力対象とされる背景映像情報及び素材映像情報よりも低解像度の映像情報を記憶するものであってもよいし、それら背景映像情報及び素材映像情報の一部のみを記憶するものであっても構わない。また、上記背景映像データベース１０４及び素材映像データベース１０６の記憶内容は、前記ＬＡＮ２４を介して前記カラオケ装置１６等との間で通信を行うことにより随時更新され、前記カラオケ装置１６のハードディスク５０に設けられた背景映像データベース１００及び素材映像データベース１０２に記憶された最新の内容に対応したものとされる。
【００３４】
前記ＣＰＵ８０は、前記ＲＡＭ８４の一時記憶機能を利用しつつ前記ＲＯＭ８２に予め記憶された所定のプログラムに基づいて電子情報を処理・制御する所謂コンピュータであり、前記記憶部８６から選曲案内情報を読み出し、前記表示装置７２を介してその選曲案内情報に基づく所定の案内映像を前記タッチパネルディスプレイ７０に表示させたり、そのタッチパネルディスプレイ７０に表示された案内映像に従って前記タッチパネル７６による入力が行われた場合、カラオケ演奏曲を予約するための選曲信号（選曲予約信号）を前記無線ＬＡＮ通信部９２等を介して前記カラオケ装置１６に送信する等の基本的な制御に加えて、前記記憶部８６の背景映像データベース１０４及び素材映像データベース１０６に記憶された背景映像情報及び素材映像情報に基づいて以下に詳述する背景映像選択制御及び素材映像選択／操作制御等を行う。
【００３５】
図５は、前記カラオケ装置１６のＣＰＵ４４及び電子早見本装置２２のＣＰＵ８０に備えられた制御機能の要部を説明する機能ブロック線図である。この図５に示す表示手段１０８及び送信手段１１０は、前記電子早見本装置２２のＣＰＵ８０に機能的に備えられたものであり、映像制御手段１１２は、前記カラオケ装置１６のＣＰＵ４４に機能的に備えられたものである。すなわち、本実施例では、前記カラオケ装置１６に情報入力を行うための入力端末装置として前記電子早見本装置２２を用いる態様について説明する。
【００３６】
上記表示手段１０８は、前記カラオケ装置１６の映像表示装置３０により表示され得る背景映像を前記表示制御部７４を介して映像表示部である前記表示装置７２に選択可能に表示させる。図６は、この表示手段１０８により前記表示装置７２に表示される背景映像選択画面を例示する図である。上記表示手段１０８は、例えば、前記背景映像データベース１０４に記憶された複数の背景映像情報に基づいて図６に示すように複数（図６では４つ）の背景サムネイル映像１１４ａ、１１４ｂ、１１４ｃ、１１４ｄ（以下、特に区別しない場合には単に背景サムネイル映像１１４と称する）を前記表示装置７２に表示させる。この背景サムネイル映像１１４は、好適には、前記カラオケ装置１６に設けられた背景映像データベース１００に記憶された複数の背景映像情報に基づいてそのカラオケ装置１６の映像表示装置３０により表示され得る背景映像そのものの一部乃至全部をサムネイル（thumbnail：見本）表示するものである。なお、このサムネイル表示は、動画である背景映像の一場面を静止画として表示するものであってもよいし、更には動画である背景映像の複数場面を断続的に表示（コマ送り表示）するものであってもよい。
【００３７】
また、上記表示手段１０８は、好適には、背景映像の指定の対象となる演奏曲のカラオケ情報に含まれるヘッダ情報に定められた歌手名やジャンル等に基づいて複数の背景映像を前記背景映像データベース１０４から予備抽出し、選択候補として前記表示装置７２に選択可能に表示させる。また、好適には、前記カラオケ情報において前記区分情報にて定義される演奏の区分毎に、それらの内容に合った複数の背景映像を予備抽出して選択候補として前記表示装置７２に表示させる。
【００３８】
図５に示す送信手段１１０は、上記表示手段１０８により表示される背景映像（背景サムネイル映像１１４）のうち選択される背景映像の指定情報を前記カラオケ装置１６に送信する。例えば、図６に示すように前記表示装置７２に表示された背景サムネイル映像１１４のうち何れかが前記タッチパネル７６を介して選択（タッチ入力）された場合、その選択された背景サムネイル映像１１４に対応する背景映像の指定情報を前記ＬＡＮ２４等を介して前記カラオケ装置１６に送信する。
【００３９】
また、前記送信手段１１０は、好適には、前記カラオケ装置１６による所定の演奏曲の演奏を予約するための演奏予約情報の送信に際してすなわちその送信と同時に乃至は前後して、その演奏曲の演奏時に表示される単数乃至は複数の背景映像の指定情報をその演奏予約情報と共に前記カラオケ装置１６に送信する。この演奏予約情報とは、例えば選曲予約に係る選曲番号であり、すなわち本実施例の電子早見本装置２２は、選曲予約に追従してその選曲予約に対応する単数乃至は複数の背景映像の指定を行う。また、１曲の演奏曲に対応する演奏予約情報の送信に際して複数の背景映像の指定情報を送信する場合、好適には、各背景映像の表示順及び／又は表示時間の設定情報を前記タッチパネル７６を介してのタッチ入力等により受け付けてその演奏予約情報と共に前記カラオケ装置１６に送信する。また、好適には、各演奏曲のカラオケ情報において前記区分情報にて定義される演奏の区分毎に背景映像の指定を行う態様も考えられる。このようにして演奏予約情報と同時に乃至は前後して送信された背景映像の指定情報及び各背景映像の設定情報は、前記ＲＡＭ４８の予約曲テーブル９８にその演奏予約情報と関連付けられて記憶される。
【００４０】
図５に示す映像制御手段１１２は、入力端末装置である前記電子早見本装置２２から受信された指定情報により指定される背景映像をカラオケ演奏に際して前記映像表示装置３０に表示させる。例えば、図６に例示する画面において利用者の指等によるタッチ入力により背景サムネイル映像１１４ａが選択され、その背景サムネイル映像１１４ａに対応する背景映像の指定情報が前記ＬＡＮ２４等を介して受信された場合、その背景サムネイル映像１１４ａに対応する背景映像情報を前記背景映像データベース１００から読み出して前記映像情報デコーダ３２により出力させ、前記ＣＲＴコントローラ５６により出力される歌詞文字映像の背面側レイヤに前記ビデオミキサ３４を介して合成して前記映像表示装置３０に表示させる。図７は、カラオケ演奏に際して前記映像表示装置３０に表示されるカラオケ演奏画面を例示する図であり、本実施例ではこの図７に示すように、前記電子早見本装置２２により選択された背景サムネイル映像１１４に対応する背景映像１１６がカラオケ演奏に際して演奏曲の歌詞文字映像１１８の背面側レイヤに表示される。
【００４１】
また、前記映像制御手段１１２は、好適には、前記電子早見本装置２２から受信された演奏予約情報に係る演奏曲の出力に際して、その演奏予約情報と共に受信された単数乃至は複数の指定情報により指定される背景映像を前記映像表示装置３０に表示させる。すなわち、前記ＲＡＭ４８の予約曲テーブル９８に記憶された演奏予約情報（選曲番号）を読み出してその演奏曲のカラオケ演奏を行う際に、その演奏予約情報と関連付けられた単数乃至は複数の背景映像の指定情報に対応する背景映像情報を前記背景映像データベース１００から（複数の場合は順次）読み出して前記映像情報デコーダ３２により出力させ、上述したように前記ビデオミキサ３４を介して歌詞文字映像１１８の背面側レイヤに合成表示させる。また、１曲の演奏曲に対応する演奏予約情報と関連付けられて複数の背景映像の指定情報が記憶されている場合であって、各背景映像の表示時間や表示順等の設定情報が前記ＲＡＭ４８の予約曲テーブル９８にその演奏予約情報と関連付けられて記憶されている場合、その演奏予約情報に対応するカラオケ演奏に際して、その演奏予約情報と関連付けられた複数の背景映像をその設定情報により定められた表示順で定められた表示時間ずつ順次前記映像表示装置３０に表示させる。
【００４２】
また、前記表示手段１０８は、好適には、前記カラオケ装置１６の映像表示装置３０により表示される背景映像の前面側のレイヤに付加的に表示され得る素材映像を前記表示装置７２に選択可能に表示させる。図８は、この表示手段１０８により前記表示装置７２に表示される素材映像選択画面を例示する図である。上記表示手段１０８は、例えば、前記素材映像データベース１０６に記憶された複数の素材映像情報に基づいて図８に示すように複数種類（図８では４種類）の素材サムネイル映像１２０ａ、１２０ｂ、１２０ｃ、１２０ｄ（以下、特に区別しない場合には単に素材サムネイル映像１２０と称する）を前記表示装置７２に表示させる。この素材サムネイル映像１２０は、好適には、前記カラオケ装置１６に備えられた素材映像データベース１０２に記憶された複数の素材映像情報に基づいてそのカラオケ装置１６の映像表示装置３０により表示され得る素材映像そのものをサムネイル（thumbnail：見本）表示するものである。なお、このサムネイル表示は、静止画としての素材映像を表示するものであってもよいし、その素材映像を実際にどう動かすことができるかを例示する動画であってもよい。
【００４３】
また、前記表示手段１０８は、好適には、素材映像の指定の対象となる演奏曲のカラオケ情報に含まれるヘッダ情報に定められた歌手名やジャンル等に基づいて複数の素材映像を前記素材映像データベース１０６から予備抽出し、選択候補として前記表示装置７２に選択可能に表示させる。また、好適には、前記カラオケ情報において前記区分情報にて定義される演奏の区分毎に、それらの内容に合った複数の素材映像を予備抽出して選択候補として前記表示装置７２に表示させる。
【００４４】
また、前記送信手段１１０は、好適には、前記表示手段１０８により表示される素材映像（素材サムネイル映像１２０）のうち選択される素材映像の指定情報を前記カラオケ装置１６に送信する。例えば、図８に示すように前記表示装置７２に表示された素材サムネイル映像１２０のうち何れかが前記タッチパネル７６を介して選択（タッチ入力）された場合、その選択された素材サムネイル映像１２０に対応する素材映像の指定情報を前記ＬＡＮ２４等を介して前記カラオケ装置１６に送信する。この送信は、好適には、所定の演奏曲のカラオケ演奏が行われている間に実行されるが、前記背景映像の指定情報と同様に、前記カラオケ装置１６による所定の演奏曲の演奏を予約するための演奏予約情報の送信と同時に乃至は前後して、その演奏曲の演奏時に表示される素材映像の指定情報をその演奏予約情報と共に前記カラオケ装置１６に送信するものであってもよい。また、好適には、各演奏曲のカラオケ情報において前記区分情報にて定義される演奏の区分毎に素材映像の指定を行う態様も考えられる。このようにして演奏予約情報と同時に乃至は前後して送信された素材映像の指定情報は、前記ＲＡＭ４８の予約曲テーブル９８にその演奏予約情報と関連付けられて記憶される。
【００４５】
また、前記映像制御手段１１２は、好適には、前記電子早見本装置２２から受信された指定情報により指定される素材映像をカラオケ演奏に際して前記映像表示装置３０に表示される背景映像の前面側のレイヤに付加的に表示させる。例えば、図８に例示する画面において利用者の指等によるタッチ入力により素材サムネイル映像１２０ｂが選択され、その素材サムネイル映像１１４ｂに対応する素材映像の指定情報が前記ＬＡＮ２４等を介して受信された場合、その素材サムネイル映像１２０ｂに対応する素材映像情報を前記素材映像データベース１０２から読み出して前記映像情報デコーダ３２により出力させ、同じくその映像情報デコーダ３２により出力される背景映像の前面側レイヤであり且つ前記ＣＲＴコントローラ５６により出力される歌詞文字映像の背面側レイヤに前記ビデオミキサ３４を介して合成して前記映像表示装置３０に表示させる。図９は、このようにして前記映像表示装置３０に表示されるカラオケ演奏画面を例示する図であり、本実施例ではこの図９に示すように、前記電子早見本装置２２により選択された素材サムネイル映像１２０に対応する素材映像１２２がカラオケ演奏に際して前記背景映像１１６の前面側レイヤであり且つ前記歌詞文字映像１１８の背面側レイヤに表示される。
【００４６】
また、前記送信手段１１０は、好適には、カラオケ演奏に際して前記映像表示装置３０に表示される素材映像を所定の態様で変化させるための操作情報を送信する。図１０は、斯かる素材映像の操作に関して前記電子早見本装置２２の表示装置７２に表示される操作画面を例示する図である。前述のように送信手段１１０により所定の素材映像の指示情報が前記カラオケ装置１６に送信された後、好適には、前記表示装置７２にこの図１０に示すように複数（図１０では８つ）の操作ボタン１２４ａ、１２４ｂ、１２４ｃ、・・・、１２４ｈ（以下、特に区別しない場合には単に操作ボタン１２４と称する）を含む素材映像の操作画面が表示される。これら複数の操作ボタン１２４は、前記カラオケ装置１６の映像表示装置３０に表示される素材映像を所定の態様で変化させるための操作情報にそれぞれ対応するものであり、好適には、各素材映像毎に予め定められた複数の操作（可能とされる操作）をそれぞれ示すものである。前記送信手段１１０は、例えば、図１０に示すように前記表示装置７２に表示された操作ボタン１２４のうち何れかが前記タッチパネル７６を介して選択（タッチ入力）された場合、その選択された操作ボタン１２４に対応する操作情報を前記ＬＡＮ２４等を介して前記カラオケ装置１６に送信する。
【００４７】
また、前記映像制御手段１１２は、好適には、前記電子早見本装置２２から受信された操作情報に応じて前記映像表示装置３０に表示される素材映像を変化させる。例えば、前記映像表示装置３０に図９に示すような素材映像１２２を含む映像が表示されている場合に、図１０に例示する画面において利用者の指等によるタッチ入力により「流れ星にする」操作に対応する操作ボタン１２４ｆが選択され、その操作ボタン１２４ｆに対応する操作情報が前記ＬＡＮ２４等を介して受信された場合、例えば前記ＣＲＴコントローラ５６等を介してその操作情報に対応する「流れ星にする」操作を前記映像表示装置３０に表示される素材映像１２２に反映させる。具体的には、図１１に示すように、前記映像表示装置３０に表示される素材映像１２２をあたかも流れ星のように画面内を移動させる。本実施例ではこのように、入力端末装置としての前記電子早見本装置２２による入力操作に応じて画面内を移動させたり、大きさや形状を変更したり、色を変更したり、単位となる素材映像の数を変化させたりといったように、前記カラオケ装置１６に表示される素材映像１２２をある程度利用者の任意に操作できる。
【００４８】
図１２は、前記電子早見本装置２２のＣＰＵ８０による背景映像選択制御を説明するフローチャートであり、所定の周期で繰り返し実行されるものである。
【００４９】
先ず、ステップ（以下、ステップを省略する）ＳＡ１において、利用者の指等の接触により前記タッチパネル７６を介して所定の選曲操作（演奏予約操作）が行われたか否かが判断される。このＳＡ１の判断が否定される場合には、それをもって本ルーチンが終了させられるが、ＳＡ１の判断が肯定される場合には、ＳＡ２において、利用者の指等の接触により前記タッチパネル７６を介して所定の背景映像選択開始操作が行われたか否かが判断される。このＳＡ２の判断が否定される場合には、ＳＡ３において、演奏予約に係る選曲番号が前記ＬＡＮ２４等を介して前記カラオケ装置１６へ送信された後、本ルーチンが終了させられるが、ＳＡ２の判断が肯定される場合には、ＳＡ４において、前記背景映像データベース１０４に記憶された複数の背景映像情報が読み出され、それら背景映像情報に基づいて図６に示すような複数の背景サムネイル映像１１４を含む背景映像選択画面が前記表示装置７２に表示される。次に、ＳＡ５において、ＳＡ４にて表示された画面において何れかの背景サムネイル映像１１４が利用者の指等の接触により前記タッチパネル７６を介して選択（タッチ入力）されたか否かが判断される。このＳＡ５の判断が否定される場合には、ＳＡ７以下の処理が実行されるが、ＳＡ５の判断が肯定される場合には、ＳＡ６において、選択された背景映像の指定情報が送信候補として前記ＲＡＭ４８に記憶された後、ＳＡ７において、背景映像の選択は以上であるか否か、例えば利用者の指等の接触により前記タッチパネル７６を介して所定の背景映像選択終了操作が行われたか否かが判断される。このＳＡ７の判断が否定される場合には、ＳＡ４以下の処理が再び実行されるが、ＳＡ７の判断が肯定される場合には、ＳＡ８において、選択された各背景映像の表示順及び／又は表示時間の設定情報が前記タッチパネル７６を介してのタッチ入力等により受け付けられ、前記ＲＡＭ４８に記憶される。次に、ＳＡ９において、選択された単数乃至は複数の背景映像の指定情報及び各背景映像の設定情報が前記ＲＡＭ４８から読み出され、演奏予約情報としての選曲番号と共に前記カラオケ装置１６へ前記ＬＡＮ２４等を介して送信された後、本ルーチンが終了させられる。
【００５０】
図１３は、前記電子早見本装置２２のＣＰＵ８０による素材映像選択／操作制御を説明するフローチャートであり、所定の周期で繰り返し実行されるものである。
【００５１】
先ず、ＳＢ１において、利用者の指等の接触により前記タッチパネル７６を介して所定の素材映像選択開始操作が行われたか否かが判断される。このＳＢ１の判断が否定される場合には、それをもって本ルーチンが終了させられるが、ＳＢ１の判断が肯定される場合には、ＳＢ２において、前記素材映像データベース１０６に記憶された複数の素材映像情報が読み出され、それら素材映像情報に基づいて図８に示すような複数の素材サムネイル映像１２０を含む素材映像選択画面が前記表示装置７２に表示される。次に、ＳＢ３において、ＳＢ２にて表示された画面において何れかの素材サムネイル映像１２０が利用者の指等の接触により前記タッチパネル７６を介して選択（タッチ入力）されたか否かが判断される。このＳＢ３の判断が否定されるうちは、判断が繰り返されることにより待機させられるが、ＳＢ３の判断が肯定される場合には、ＳＢ４において、選択された素材映像に対応する指定情報が前記ＬＡＮ２４等を介して前記カラオケ装置１６へ送信される。次に、ＳＢ５において、図１０に示すような素材映像操作画面が前記表示制御部７４を介して前記表示装置７２に表示される。次に、ＳＢ６において、ＳＢ５にて表示された画面において何れかの操作ボタン１２４が利用者の指等の接触により前記タッチパネル７６を介して選択（タッチ入力）されたか否かが判断される。このＳＢ６の判断が否定される場合には、ＳＢ８以下の処理が実行されるが、ＳＢ６の判断が肯定される場合には、ＳＢ７において、選択（入力）された操作ボタン１２４に対応する操作情報が前記ＬＡＮ２４等を介して前記カラオケ装置１６へ送信された後、ＳＢ８において、前記カラオケ装置１６から前記ＬＡＮ２４等を介して演奏終了通知が受信されたか否かが判断される。このＳＢ８の判断が否定される場合には、ＳＢ６以下の処理が再び実行されるが、ＳＢ８の判断が肯定される場合には、それをもって本ルーチンが終了させられる。以上の制御において、ＳＡ４、ＳＢ２、及びＳＢ５が前記表示手段１０８の動作に、ＳＡ９、ＳＢ４、及びＳＢ７が前記送信手段１１０の動作にそれぞれ対応する。
【００５２】
図１４は、前記カラオケ装置１６のＣＰＵ４４による背景映像表示制御を説明するフローチャートであり、所定の周期で繰り返し実行されるものである。
【００５３】
先ず、ＳＣ１において、前記電子早見本装置２２から前記ＬＡＮ２４等を介して背景映像の指定情報等を含む演奏予約情報としての選曲番号が受信されたか否かが判断される。このＳＣ１の判断が否定される場合には、ＳＣ３以下の処理が実行されるが、ＳＣ１の判断が肯定される場合には、ＳＣ２において、受信された演奏予約情報としての選曲番号及び背景映像の指定情報等が前記ＲＡＭ４８の予約曲テーブル９８に相互に関連付けられて記憶される。次に、ＳＣ３において、前記ＲＡＭ４８の予約曲テーブル９８に記憶された所定の演奏曲のカラオケ演奏が開始されるか否か、すなわち演奏開始タイミングであるか否かが判断される。このＳＣ３の判断が否定される場合には、ＳＣ１以下の処理が再び実行されるが、ＳＣ３の判断が肯定される場合には、ＳＣ４において、前記予約曲テーブル９８に記憶された演奏開始に係る演奏曲の選曲番号に、背景映像の指定情報等が関連付けられて記憶されているか否かが判断される。このＳＣ４の判断が否定される場合には、ＳＣ５において、デフォルトの背景映像すなわちカラオケ情報に予め定められた背景映像指定情報に対応する背景映像情報が前記背景映像データベース１００から読み出されて前記映像情報デコーダ３２により出力され、前記ビデオミキサ３４等を介して前記映像表示装置３０に表示される。次に、ＳＣ６において、カラオケ演奏終了であるか否かが判断される。このＳＣ６の判断が否定されるうちは、判断が繰り返されることにより待機させられてカラオケ演奏が継続させられるが、ＳＣ６の判断が肯定される場合には、ＳＣ１０において、入力端末装置としての前記電子早見本装置２２へ前記ＬＡＮ２４等を介して演奏終了通知が送信された後、本ルーチンが終了させられる。
【００５４】
ＳＣ４の判断が肯定される場合、すなわち前記予約曲テーブル９８に記憶された演奏開始に係る演奏曲の選曲番号に、背景映像の指定情報等が関連付けられて記憶されていると判断される場合には、ＳＣ７において、前記予約曲テーブル９８に記憶された演奏開始に係る演奏曲の選曲番号と関連付けられて記憶された指定情報に対応する背景映像情報が前記背景映像データベース１００から読み出されて前記映像情報デコーダ３２により出力され、前記ビデオミキサ３４等を介して前記映像表示装置３０に表示される。次に、ＳＣ８において、前記予約曲テーブル９８に記憶されたカラオケ演奏に係る演奏曲の選曲番号と関連付けられて記憶された設定情報において設定された表示時間が満了したか否か、すなわち背景映像の切り替えタイミングであるか否かが判断される。このＳＣ８の判断が肯定される場合には、ＳＣ７以下の処理が再び実行されるが、ＳＣ８の判断が否定される場合には、ＳＣ９において、カラオケ演奏終了であるか否かが判断される。このＳＣ９の判断が否定される場合には、ＳＣ８以下の処理が再び実行されるが、ＳＣ９の判断が肯定される場合には、ＳＣ１０以下の処理が実行される。
【００５５】
図１５は、前記カラオケ装置１６のＣＰＵ４４による素材映像表示制御を説明するフローチャートであり、所定の周期で繰り返し実行されるものである。
【００５６】
先ず、ＳＤ１において、前記ＲＡＭ４８の予約曲テーブル９８に記憶された所定の演奏曲のカラオケ演奏が開始されるか否か、すなわち演奏開始タイミングであるか否かが判断される。このＳＤ１の判断が否定されるうちは、判断が繰り返されることにより待機させられるが、ＳＤ１の判断が肯定される場合には、ＳＤ２において、前記電子早見本装置２２から前記ＬＡＮ２４等を介して素材映像の指定情報が受信されたか否かが判断される。このＳＤ２の判断が否定される場合には、ＳＤ４以下の処理が実行されるが、ＳＤ２の判断が肯定される場合には、ＳＤ３において、前記電子早見本装置２２から受信された指定情報により指定される素材映像情報が前記素材映像データベース１０２から読み出されて前記映像情報デコーダ３２により出力され、前記ビデオミキサ３４等を介して前記映像表示装置３０に表示される背景映像の前面側のレイヤに付加的に表示される。次に、ＳＤ４において、前記電子早見本装置２２から前記ＬＡＮ２４等を介して素材映像の操作情報が受信されたか否かが判断される。このＳＤ４の判断が否定される場合には、ＳＤ６以下の処理が実行されるが、ＳＤ４の判断が肯定される場合には、ＳＤ５において、受信された操作情報に応じて前記映像表示装置３０に表示される素材映像が前記ＣＲＴコントローラ５６等を介して変化させられる。次に、ＳＤ６において、カラオケ演奏終了であるか否かが判断される。このＳＤ６の判断が否定される場合には、ＳＤ２以下の処理が再び実行されるが、ＳＤ６の判断が肯定される場合には、ＳＤ７において、入力端末装置としての前記電子早見本装置２２へ前記ＬＡＮ２４等を介して演奏終了通知が送信された後、本ルーチンが終了させられる。以上の制御において、ＳＣ７、ＳＤ３、及びＳＤ４が前記映像制御手段１１２の動作に対応する。
【００５７】
このように、本実施例によれば、前記入力端末装置は、所定の映像を表示させる映像表示部としての表示装置７２と、前記カラオケ装置１６の映像表示装置３０により表示され得る背景映像に対応する背景サムネイル映像１１４をその表示装置７２に選択可能に表示させる表示手段１０８（ＳＡ４、ＳＢ２、及びＳＢ５）と、その表示手段１０８により表示される背景サムネイル映像１１４のうち選択される背景サムネイル映像１１４の指定情報を前記カラオケ装置１６に送信する送信手段１１０（ＳＡ９、ＳＢ４、及びＳＢ７）とを、有するものであり、前記カラオケ装置１６は、前記入力端末装置から受信された指定情報により指定される背景映像をカラオケ演奏に際して前記映像表示装置３０に表示させる映像制御手段１１２（ＳＣ７、ＳＤ３、及びＳＤ４）を有するものであることから、前記カラオケ装置１６の映像表示装置３０に実際に表示される映像を視認した上で選択できるため、期待通りの映像を背景映像とすることができる。すなわち、カラオケ演奏に際して利用者の意向に合った背景映像を表示させるカラオケシステム１０を提供することができる。
【００５８】
また、前記送信手段１１０は、前記カラオケ装置１６による所定の演奏曲の演奏を予約するための演奏予約情報の送信に際して、その演奏曲の演奏時に表示される背景映像の指定情報をその演奏予約情報と共に前記カラオケ装置１６に送信するものであり、前記映像制御手段１１２は、前記入力端末装置から受信された演奏予約情報に係る演奏曲の出力に際して、その演奏予約情報と共に受信された指定情報により指定される背景映像を前記映像表示装置３０に表示させるものであるため、演奏曲の予約時にその演奏曲の出力に際して表示される背景映像を指定することができるという利点がある。
【００５９】
また、前記送信手段１１０は、前記カラオケ装置１６による所定の演奏曲の演奏を予約するための演奏予約情報の送信に際して、その演奏曲の演奏時に表示される複数の背景映像の指定情報をその演奏予約情報と共に前記カラオケ装置１６に送信し得るものであり、前記映像制御手段１１２は、前記入力端末装置から受信された演奏予約情報に係る演奏曲の出力に際して、その演奏予約情報と共に受信された指定情報により指定される複数の背景映像を順次前記映像表示装置３０に表示させるものであるため、演奏曲の予約時にその演奏曲の出力に際して表示される複数の背景映像を指定することができ、１曲の演奏曲の出力中に利用者の所望する複数の背景映像を代わる代わる表示できるという利点がある。
【００６０】
また、前記送信手段１１０は、前記カラオケ装置１６による所定の演奏曲の演奏を予約するための演奏予約情報の送信に際して、その演奏曲の演奏時に表示される複数の背景映像の指定情報及び各背景映像の表示順及び／又は表示時間の設定情報をその演奏予約情報と共に前記カラオケ装置１６に送信し得るものであり、前記映像制御手段１１２は、前記入力端末装置から受信された演奏予約情報に係る演奏曲の出力に際して、その演奏予約情報と共に受信された指定情報により指定される複数の背景映像を同じく共に受信された設定情報に応じて順次前記映像表示装置３０に表示させるものであるため、演奏曲の予約時にその演奏曲の出力に際して表示される複数の背景映像を指定することができ、１曲の演奏曲の出力中に利用者の所望する複数の背景映像を所望の時間交代で表示できるという利点がある。
【００６１】
また、前記カラオケ装置１６により演奏曲を出力させるためのカラオケ情報は、その演奏曲における演奏の区分を定義する区分情報を含むものであり、前記送信手段１１０は、前記カラオケ装置１６による所定の演奏曲の演奏を予約するための演奏予約情報の送信に際して、その演奏曲の演奏時に表示される背景映像の指定情報を前記演奏の区分毎に前記カラオケ装置１６に送信し得るものであり、前記映像制御手段１１２は、前記入力端末装置から受信された演奏予約情報に係る演奏曲の出力に際して、その演奏予約情報と共に受信された指定情報により指定される背景映像を前記演奏の区分毎に順次前記映像表示装置３０に表示させるものであるため、演奏曲の予約時にその演奏曲の出力に際して表示される複数の背景映像を指定することができ、１曲の演奏曲の出力中に利用者の所望する複数の背景映像を演奏の区分毎に表示できるという利点がある。
【００６２】
また、前記表示手段１０８は、前記カラオケ装置１６による所定の演奏曲の演奏を予約するための演奏予約情報の送信に際して、その演奏曲のカラオケ情報において前記区分情報にて定義される演奏の区分毎にそれぞれ複数の背景映像を前記カラオケ装置１６の映像表示装置３０により表示され得る背景映像から予備抽出し、選択候補として前記表示装置７２に選択可能に表示させるものであるため、前記演奏曲における演奏の区分毎に利用者の所望をきめ細かに反映する背景映像を指定できるという利点がある。
【００６３】
また、前記表示手段１０８は、前記カラオケ装置１６の映像表示装置３０により表示される背景映像の前面側のレイヤに付加的に表示され得る素材映像に対応する素材サムネイル映像１２０を前記表示装置７２に選択可能に表示させ得るものであり、前記送信手段１１０は、前記表示手段１０８により表示される素材サムネイル映像１２０のうち選択される素材サムネイル映像１２０の指定情報を前記カラオケ装置１６に送信し得るものであり、前記映像制御手段１１２は、前記入力端末装置から受信された指定情報により指定される素材映像をカラオケ演奏に際して前記映像表示装置３０に表示される背景映像の前面側のレイヤに付加的に表示させるものであるため、利用者の所望する素材映像を付加表示することで、バリエーションに富んだ背景映像をカラオケ演奏に際して表示させることができるという利点がある。
【００６４】
また、前記送信手段１１０は、カラオケ演奏に際して前記映像表示装置３０に表示される素材映像を所定の態様で変化させるための操作情報を送信し得るものであり、前記映像制御手段１１２は、前記入力端末装置から受信された操作情報に応じて前記映像表示装置３０に表示される素材映像を変化させるものであるため、カラオケ演奏に際して背景映像に付加表示される素材映像を様々に変化させることができ、斯かる背景映像に利用者の意向を更にきめ細かに反映させられるという利点がある。
【００６５】
また、前記映像制御手段１１０は、カラオケ演奏に係る演奏曲の旋律やテンポ等に応じて前記映像表示装置３０に表示される素材映像を変化させるものであるため、カラオケ演奏に際して背景映像に付加表示される素材映像を様々に変化させることができ、娯楽性に富んだ背景映像をカラオケ演奏に際して表示させることができるという利点がある。
【００６６】
また、前記入力端末装置は、所定の映像を表示させると共に利用者の接触操作に応じて前記カラオケ装置１６への入力を行うタッチパネルディスプレイ７０を備えた電子早見本装置２２であるため、実用的な入力端末装置である電子早見本装置２２を用いて利用者の意向を好適に背景映像に反映させられるという利点がある。
【００６７】
続いて、本発明の他の好適な実施例を図面に基づいて詳細に説明する。なお、以下の説明において実施例相互に共通する部分には同一の符号を付して図面の説明を省略する。
【実施例２】
【００６８】
本第２実施例では、前記カラオケ装置１６に情報入力を行うための入力端末装置として前記携帯電話機２８を用いる態様について説明する。図１６は、前記カラオケ装置１６に情報入力を行うための入力端末装置として機能する携帯電話機２８の操作部１２６を説明する図である。この図１６に示すように、前記携帯電話機２８における折り畳まれることで相対向する１対の面には、入力ボタン（スイッチ）として機能する１２個の文字入力ボタン１２８、開始ボタン１３０、電源ボタン１３２、左右上下の移動ボタン１３４、メールボタン１３６、クリアボタン１３８、決定ボタン１４０、及び映像表示部として機能する表示部１４２が設けられている。
【００６９】
上記文字入力ボタン１２８は、所望する文字を入力するためのボタン（スイッチ）であり、その文字入力ボタン１２８が押されることにより、また必要に応じて所定の文字変換操作が行われることにより、所望する文字が上記表示部１４２に表示される。上記開始ボタン１３０は、電話をかけたりメールを送信したりするためのボタンであり、上記表示部１４２に所定の電話番号が表示されている際にその開始ボタン１３０が押されることにより、その電話番号に電話をかけられる。また、その表示部１４２に所定のメールアドレスが表示されている際にその開始ボタン１３０が押されることにより、そのメールアドレスにメールが送信される。また、その表示部１４２に所定のＵＲＬ（Uniform Resource Locator）が表示されている際にその開始ボタン１３０が押されることにより、そのＵＲＬをアドレスとするウェブサイトにアクセスされる。上記電源ボタン１３２は、通話を中止したり電源を入れたりするためのボタンであり、通話中にその電源ボタン１３２が押されることにより、その通話が中止される。また、電源がオフである際にその電源ボタン１３２が一定時間押されることにより、電源がオンの状態となる一方、電源がオンである際にその電源ボタン１３２が一定時間押されることにより、電源がオフの状態となる。上記移動ボタン１３４は、上記表示部１４２に表示されるカーソルを左右上下に移動させるため等に押されるボタンである。上記メールボタン１３６は、メール管理モードに入るため等に押されるボタンである。上記クリアボタン１３８は、上記表示部１４２に表示された文字を消すため等に押されるボタンである。上記決定ボタン１４０は、上記表示部１４２に表示された内容で各種設定の項目を決定したり、文字変換を決定したりするため等に押されるボタンである。
【００７０】
図１７は、前記携帯電話機２８の構成を説明するブロック線図である。この図１７に示す制御部１４４は、予めＲＯＭ１４６に記憶されたプログラムに従って入力信号を処理し、前記操作部１２６からの入力に従って文字入力が実行されるように制御したり、前記操作部１２６から入力された電話番号に従って通信或いは通話チャンネルを成立させると共に相互の通信或いは通話が可能となるように制御したり、メールの作成及び送受信の制御を実行したり、所定のウェブサイトへのアクセスを実行したりする。通話状態においては、アンテナ１４８を介して送受信部１５０に受けた通話信号等がモデム部１５２を介して音声コーディック部１５４においてデジタルコード信号から音声信号に変換され、アナログフロントエンド１５６により音声出力器（スピーカ）１５８が駆動されて音声が出力される。同時に、マイクロフォン１６０により音声から変換された音声信号が上記アナログフロントエンド１５６を介して上記音声コーディック部１５４に送られてそこでデジタル信号に変換され、上記モデム部１５２、送受信部１５０、及びアンテナ１４８を介して送信される。また、通信状態において、上記制御部１４４は、前記操作部１２６から入力された信号を通信先へ送信すると同時に、通信先から受信された信号を前記表示部１４２に表示させる。また、他の通信端末からの着信があったと判定される場合には、予め記憶部（フラッシュＲＯＭ）１６２に記憶された呼出音情報に基づいて所定の呼出音を上記スピーカ１５８から出力させるようにメロディ発生器１６４を駆動させる。また、上記記憶部１６２には、前記カラオケ装置１６のカラオケデータベースに記憶された多数のカラオケ情報それぞれに対応して曲名、アーティスト名（歌手名）、歌詞の歌い出し部分等の選曲案内情報を選曲番号毎に記憶する演奏曲データベース１６８が設けられており、情報送信部としてのリモコン送信部１６６によりリモコン信号を介して前記カラオケ装置１６による所定の演奏曲の演奏を予約するための演奏予約情報の送信すなわち選曲入力等が可能とされている。
【００７１】
図１８は、前記カラオケ装置１６のＣＰＵ４４及び携帯電話機２８の制御部１４４に備えられた制御機能の要部を説明する機能ブロック線図である。この図１８に示す表示手段１７０及び送信手段１７２は、前記携帯電話機２８の制御部１４４に機能的に備えられたものである。
【００７２】
図１８に示す表示手段１７０は、前記カラオケ装置１６の映像表示装置３０により表示され得る背景映像を映像表示部である前記表示部１４２に選択可能に表示させる。好適には、前記センタ装置２０の記憶装置１７４に記憶された背景映像データベース１７６から前記カラオケ装置１６の映像表示装置３０により表示され得る背景映像に対応する複数の背景映像情報を取得（ダウンロード）し、それら背景映像情報に対応する背景映像を前記表示部１４２に表示させる。この表示部１４２に表示される背景映像は、好適には、前記カラオケ装置１６の映像表示装置３０により表示され得る背景映像そのものの一部乃至全部を表示するものである。なお、この表示は、動画である背景映像の一場面を静止画として表示するものであってもよいし、更には動画である背景映像の複数場面を断続的に表示（コマ送り表示）するものであってもよい。
【００７３】
図１８に示す送信手段１７２は、上記表示手段１７０により表示される背景映像のうち選択される背景映像の指定情報を前記カラオケ装置１６に送信する。例えば、前記表示手段１７０により前記表示部１４２に所定の背景映像が表示されている際に前記操作部１２６により所定の操作が行われた場合、その表示されている背景映像に対応する指定情報を情報送信部としての前記リモコン送信部１６６を介して前記カラオケ装置１６に送信する。
【００７４】
また、前記送信手段１７２は、好適には、前記カラオケ装置１６による所定の演奏曲の演奏を予約するための演奏予約情報の送信と同時に乃至は前後して、その演奏曲の演奏時に表示される単数乃至は複数の背景映像の指定情報をその演奏予約情報と共に前記カラオケ装置１６に送信する。この演奏予約情報とは、例えば選曲予約に係る選曲番号であり、すなわち本実施例の携帯電話機２８は、選曲予約に追従してその選曲予約に対応する単数乃至は複数の背景映像の指定を行う。また、１曲の演奏曲に対応する演奏予約情報の送信に際して複数の背景映像の指定情報を送信する場合、好適には、各背景映像の表示順及び／又は表示時間の設定情報を前記操作部１２６により受け付けてその演奏予約情報と共に前記カラオケ装置１６に送信する。このようにして演奏予約情報と同時に乃至は前後して送信された背景映像の指定情報及び各背景映像の設定情報は、前記ＲＡＭ４８の予約曲テーブル９８にその演奏予約情報と関連付けられて記憶される。
【００７５】
また、前記表示手段１７０は、好適には、前記カラオケ装置１６の映像表示装置３０により表示される背景映像の前面側のレイヤに付加的に表示され得る素材映像を前記表示部１４２に選択可能に表示させる。好適には、前記センタ装置２０の記憶装置１７４に記憶された素材映像データベース１７８から前記カラオケ装置１６の映像表示装置３０により表示され得る素材映像に対応する複数の素材映像情報を取得（ダウンロード）し、それら素材映像情報に対応する素材映像を前記表示部１４２に表示させる。この表示部１４２に表示される素材映像は、好適には、前記カラオケ装置１６の映像表示装置３０により表示され得る素材映像そのものの一部乃至全部を表示するものである。なお、この表示は、静止画としての素材映像を表示するものであってもよいし、その素材映像を実際にどう動かすことができるかを例示する動画であってもよい。
【００７６】
また、前記送信手段１７２は、好適には、前記表示手段１７０により表示される素材映像のうち選択される素材映像の指定情報を前記カラオケ装置１６に送信する。例えば、前記表示手段１７０により前記表示部１４２に所定の素材映像が表示されている際に前記操作部１２６により所定の操作が行われた場合、その表示されている素材映像に対応する指定情報を情報送信部としての前記リモコン送信部１６６を介して前記カラオケ装置１６に送信する。この送信は、好適には、所定の演奏曲のカラオケ演奏が行われている間に実行されるが、前記背景映像の指定情報と同様に、前記カラオケ装置１６による所定の演奏曲の演奏を予約するための演奏予約情報の送信と同時に乃至は前後して、その演奏曲の演奏時に表示される素材映像の指定情報をその演奏予約情報と共に前記カラオケ装置１６に送信するものであってもよい。このようにして演奏予約情報と同時に乃至は前後して送信された素材映像の指定情報は、前記ＲＡＭ４８の予約曲テーブル９８にその演奏予約情報と関連付けられて記憶される。
【００７７】
また、前記送信手段１７２は、好適には、カラオケ演奏に際して前記映像表示装置３０に表示される素材映像を所定の態様で変化させるための操作情報を送信する。例えば、前記表示部１４２に表示された図示しない所定の案内映像に従って前記操作部１２６により所定の操作が行われた場合、その操作に応じた操作情報を情報送信部としての前記リモコン送信部１６６を介して前記カラオケ装置１６に送信する。
【００７８】
このように、本第２実施例によれば、前記入力端末装置は、前記カラオケ装置１６に情報の送信を行うための情報送信部としてのリモコン送信部１６６を有する携帯電話機２８であるため、実用的な入力端末装置である携帯電話機２８を用いて利用者の意向を好適に背景映像に反映させられるという利点がある。
【００７９】
以上、本発明の好適な実施例を図面に基づいて詳細に説明したが、本発明はこれに限定されるものではなく、更に別の態様においても実施される。
【００８０】
例えば、前述の実施例において、前記映像制御手段１１２は、入力端末装置である前記電子早見本装置２２や携帯電話機２８等から受信された指定情報により指定される素材映像をカラオケ演奏に際して前記映像表示装置３０に表示される背景映像の前面側のレイヤに付加的に表示させるものであったが、本発明はこれに限定されるものではなく、例えば、前記映像制御手段１１２は、前面側のレイヤに付加的に表示される素材映像が予め組み込まれた背景映像をカラオケ演奏に際して前記映像表示装置３０に表示させるものであってもよい。このようにすれば、背景映像に素材映像を予め組み込んでおくことで、バリエーションに富んだ背景映像をカラオケ演奏に際して表示させることができるという利点がある。なお、この態様において、好適には、前面側のレイヤに付加的に表示される素材映像が予め組み込まれた背景映像が前記ハードディスク５０の背景映像データベース１００に一元的に記憶されるが、前記ハードディスク５０の背景映像データベース１００に記憶される背景映像情報に前記素材映像データベース１０２に記憶される素材映像との対応付情報を組み込むものであってもよい。
【００８１】
また、前述の実施例において、入力端末装置としての前記電子早見本装置２２は、その電子早見本装置２２に備えられた背景映像データベース１０４及び素材映像データベース１０６から背景映像及び素材映像を読み出して前記表示装置７２に表示させるものであったが、前記センタ装置２０の記憶装置１７４に記憶された背景映像データベース１７６及び素材映像データベース１７８から前記カラオケ装置１６の映像表示装置３０により表示され得る背景映像及び素材映像に対応する複数の背景映像情報及び素材映像情報を取得（ダウンロード）し、それら背景映像情報及び素材映像情報に対応する背景映像及び素材映像を前記表示装置７２に表示させるものであってもよい。また、前記カラオケ装置１６のハードディスク５０に記憶された背景映像データベース１００及び素材映像データベース１０２から前記カラオケ装置１６の映像表示装置３０により表示され得る背景映像及び素材映像に対応する複数の背景映像情報及び素材映像情報を取得し、それら背景映像情報及び素材映像情報に対応する背景映像及び素材映像を前記表示装置７２に表示させるものであってもよい。
【００８２】
また、前述の実施例において、入力端末装置としての前記携帯電話機２８は、前記センタ装置２０の記憶装置１７４に記憶された背景映像データベース１７６及び素材映像データベース１７８から前記カラオケ装置１６の映像表示装置３０により表示され得る背景映像及び素材映像に対応する複数の背景映像情報及び素材映像情報を取得（ダウンロード）し、それら背景映像情報及び素材映像情報に対応する背景映像及び素材映像を前記表示部１４２に表示させるものであったが、前記携帯電話機２８の記憶部１６２に背景映像データベース及び素材映像データベースを設け、それらのデータベースから背景映像及び素材映像を読み出して前記表示部１４２に表示させるものであってもよい。また、前記カラオケ装置１６のハードディスク５０に記憶された背景映像データベース１００及び素材映像データベース１０２から前記カラオケ装置１６の映像表示装置３０により表示され得る背景映像及び素材映像に対応する複数の背景映像情報及び素材映像情報を取得し、それら背景映像情報及び素材映像情報に対応する背景映像及び素材映像を前記表示部１４２に表示させるものであってもよい。
【００８３】
また、前述の実施例において、前記送信手段１１０、１７２は、前記カラオケ装置１６による所定の演奏曲の演奏を予約するための演奏予約情報の送信に際して、その演奏曲の演奏時に表示される背景映像の指定情報をその演奏予約情報と共に前記カラオケ装置１６に送信するものであったが、所定の演奏曲のカラオケ演奏が始まった後にそのカラオケ演奏において表示される背景映像の指定情報を前記カラオケ装置１６に送信するものであってもよい。また、この背景映像の指定情報の送信処理は、１曲の演奏曲のカラオケ演奏において何度行われるものであっても構わない。
【００８４】
また、前述の実施例において、前記映像制御手段１１２は、前記背景映像及び素材映像を共に前記映像情報デコーダ３２により出力させるものであったが、背景映像を出力させる出力装置と素材映像を出力させる出力装置とをそれぞれ個別に備えたものであっても当然に構わない。
【００８５】
また、前述の実施例において、前記映像制御手段１１２は、前記電子早見本装置２２や携帯電話機２８等の入力端末装置により指定される１種類の素材映像を前記映像表示装置３０に表示される背景映像の前面側レイヤに表示させるものであったが、２種類以上の素材映像を背景映像の前面側レイヤに付加的に表示させるものであってもよい。また、それら２種類以上の素材映像を前記電子早見本装置２２や携帯電話機２８等の入力端末装置から受信される操作情報に応じて種々の態様に変化させるものであってもよい。
【００８６】
また、前述の実施例において、前記映像制御手段１１２は、前記電子早見本装置２２や携帯電話機２８等の入力端末装置から受信される操作情報に応じて前記素材映像を種々の態様に変化させるものであったが、前記演奏曲の旋律やテンポに合わせて前記素材映像を動かす等の制御を行うものであってもよい。また、斯かる制御と入力端末装置から受信される操作情報に応じた制御とを複合させることで、前記素材映像を更にダイナミックでバラエティに富んだ態様で変化させることもできる。
【００８７】
その他、一々例示はしないが、本発明はその趣旨を逸脱しない範囲内において種々の変更が加えられて実施されるものである。
【図面の簡単な説明】
【００８８】
【図１】本発明の一実施例であるカラオケシステムを説明する概略図である。
【図２】図１のカラオケシステムに備えられたカラオケ装置の構成を例示するブロック線図である。
【図３】図２のカラオケ装置に情報入力を行うための入力端末装置として機能する電子早見本装置の外観を大まかに示す斜視図である。
【図４】図３の電子早見本装置の構成を例示するブロック線図である。
【図５】図２のカラオケ装置のＣＰＵ及び図４の電子早見本装置のＣＰＵに備えられた制御機能の要部を説明する機能ブロック線図である。
【図６】図４の電子早見本装置の表示装置に表示される背景映像選択画面を例示する図である。
【図７】図２のカラオケ装置の映像表示装置に表示される背景映像を含むカラオケ演奏画面を例示する図である。
【図８】図４の電子早見本装置の表示装置に表示される素材映像選択画面を例示する図である。
【図９】図２のカラオケ装置の映像表示装置に表示される素材映像を含むカラオケ演奏画面を例示する図である。
【図１０】図４の電子早見本装置の表示装置に表示される素材映像操作画面を例示する図である。
【図１１】図２のカラオケ装置の映像表示装置に表示される素材映像を様々に変化させる様子を例示する図である。
【図１２】図４の電子早見本装置のＣＰＵによる背景映像選択制御を説明するフローチャートである。
【図１３】図４の電子早見本装置のＣＰＵによる素材映像選択／操作制御を説明するフローチャートである。
【図１４】図２のカラオケ装置のＣＰＵによる背景映像表示制御を説明するフローチャートである。
【図１５】図２のカラオケ装置のＣＰＵによる素材映像表示制御を説明するフローチャートである。
【図１６】図２のカラオケ装置に情報入力を行うための入力端末装置として機能する携帯電話機の操作部を説明する図である。
【図１７】図１６の携帯電話機の構成を例示するブロック線図である。
【図１８】図２のカラオケ装置のＣＰＵ及び図１７の携帯電話機の制御部に備えられた制御機能の要部を説明する機能ブロック線図である。
【符号の説明】
【００８９】
１０：カラオケシステム
１６：カラオケ装置
２２：電子早見本装置（入力端末装置）
２８：携帯電話機（入力端末装置）
３０：映像表示装置
７０：タッチパネルディスプレイ
７２：表示装置（映像表示部）
１０８：表示手段
１１０：送信手段
１１２：映像制御手段
１１４：背景サムネイル映像（背景映像）
１１６：背景映像
１１８：歌詞文字映像
１２０：素材サムネイル映像（素材映像）
１２２：素材映像
１４２：表示部（映像表示部）
１６６：リモコン送信部（情報送信部）
１７０：表示手段
１７２：送信手段
【図１】
0004500754.tif 000002
【図２】
0004500754.tif 000003
【図３】
0004500754.tif 000004
【図４】
0004500754.tif 000005
【図５】
0004500754.tif 000006
【図６】
0004500754.tif 000007
【図７】
0004500754.tif 000008
【図８】
0004500754.tif 000009
【図９】
0004500754.tif 000010
【図１０】
0004500754.tif 000011
【図１１】
0004500754.tif 000012
【図１２】
0004500754.tif 000013
【図１３】
0004500754.tif 000014
【図１４】
0004500754.tif 000015
【図１５】
0004500754.tif 000016
【図１６】
0004500754.tif 000017
【図１７】
0004500754.tif 000018
【図１８】
0004500754.tif 000019